(57)【要約】【課題】本発明は、光学式マウス用自動光出力制御付き光出力システムに関するものである。【解決手段】光出力システムは、発光デバイスとドライバーと自動電力制御器とを備える。前記発光デバイスは、放射光の生成に用いられる。前記ドライバーは、前記発光デバイスの駆動に用いられる。前記自動電力制御器は、所定範囲内において前記発光デバイスの電力を制御するために、複数の入力信号のうちの少なくとも１つに基づいた前記ドライバーへの制御信号の出力に用いられる。本発明の光出力システムによれば、フィードバック制御によって、様々な伝導や周辺の下での（under various conduction and circumference）所定範囲内の所定値による放射光の安定電力の出力が可能である。さらに、前記光出力システムを用いた光学マウスは様々な反射面上での動作が可能である。【選択図】図１
2007080981.tif 000002
【特許請求の範囲】
【請求項１】
光学式マウス用自動光出力制御付き光出力システムであって、
放射光を生成する発光デバイスと、
前記発光デバイスを駆動するドライバーと、
複数の入力信号のうちの少なくとも１つに基づいて、所定範囲内において前記発光デバイスの電力を制御するために、前記ドライバーに制御信号を出力する自動電力制御器とを備えた
ことを特徴とする光出力システム。
【請求項２】
前記請求項１記載の光出力システムにおいて、
前記発光デバイスは半導体レーザーである
ことを特徴とする光出力システム。
【請求項３】
前記請求項１記載の光出力システムにおいて、
前記ドライバーは、制御可能な動作電流を前記発光デバイスに供給する
ことを特徴とする光出力システム。
【請求項４】
前記請求項１記載の光出力システムにおいて、
第１の光検知器をさらに備え、
前記第１の光検知器は、前記発光デバイスの放射光を受光すると共に、第１の対応光入力信号（first corresponding photo input signal）を前記自動電力制御器に出力する
ことを特徴とする光出力システム。
【請求項５】
前記請求項１記載の光出力システムにおいて、
第２の光検知器をさらに備え、
前記第２の光検知器は、反射面の反射光を受光すると共に、第２の対応光入力信号（second corresponding photo input signal）を前記自動電力制御器に出力する
ことを特徴とする光出力システム。
【請求項６】
前記請求項５記載の光出力システムにおいて、
前記反射面は、前記発光デバイスの放射光の受光、及び反射光の反射に用いられる
ことを特徴とする光出力システム。
【請求項７】
前記請求項５記載の光出力システムにおいて、
演算相互コンダクタンス増幅器をさらに備え、
前記演算相互コンダクタンス増幅器は、前記第２の光検知器と前記自動電力制御器との間に配置される
ことを特徴とする光出力システム。
【請求項８】
前記請求項５記載の光出力システムにおいて、
前記第２の光検知器はＣＭＯＳイメージセンサーである
ことを特徴とする光出力システム。
【請求項９】
前記請求項１記載の光出力システムにおいて、
温度補償型電圧調整器をさらに備え、
前記温度補償型電圧調整器は、温度補償信号を各々、前記自動電力制御器と前記ドライバーとに供給する
ことを特徴とする光出力システム。
【請求項１０】
前記請求項９記載の光出力システムにおいて、
第１の抵抗をさらに備え、
前記第１の抵抗は、前記温度補償型電圧調整器と前記自動電力制御器との間に配置され、
前記温度補償型電圧調整器は、第１の温度補償電流を前記自動電力制御器に供給する
ことを特徴とする光出力システム。
【請求項１１】
前記請求項９記載の光出力システムにおいて、
第２の抵抗をさらに備え、
前記第２の抵抗は、前記温度補償型電圧調整器と前記ドライバーとの間に配置され、
前記温度補償型電圧調整器は、第２の温度補償電流を前記ドライバーに供給する
ことを特徴とする光出力システム。
【発明の詳細な説明】
【技術分野】
【０００１】
本発明は、光出力システムに関し、特に、光学式マウス用自動光出力制御付き光出力システムに関するものである。
【背景技術】
【０００２】
図３は、従来の光学式マウス用光出力システム３０を示す。従来の光出力システム３０は、発光デバイス３１とドライバー３２とを備える。前記発光デバイス３１は、放射光の生成に用いられる。前記ドライバー３２は、前記発光デバイス３１の駆動に用いられる。現在、前記発光デバイス３１はレーザー光線を出力する半導体レーザーである。安全性の要求及び安定した分解能のために（For safety demand and stable resolution）、前記レーザー光線の出力電力を所定値（例えば、１ｍＷ以下）に制御しなければならない。従って、メーカーは所定値の出力電力を得るために前記ドライバー３２を調節する必要がある。
【発明の開示】
【発明が解決しようとする課題】
【０００３】
それにも拘わらず、以下の理由のために出力電力が不安定となる場合がある。
【０００４】
１．半導体レーザーのばらつき（固定駆動電流下における半導体レーザー出力電力のダイ間（Die-to-Die）でのばらつき）
２．半導体レーザーの駆動電流（電圧）源の変化（ダイ間（Die-to-Die）での駆動電流の変化、Ｖｄｄ依存性や温度依存性）
３．半導体レーザーにおける電気出力から光出力への変換効率の温度依存性
４．マウス間（mouse-to-mouse）での光学式マウス内の光出力システムのばらつき
さらに、メーカーによって想定された特定の反射面に合うように出力電力が調整された場合、光学式マウスは別の反射面では動作しない可能性がある。すなわち、従来の光学式マウスは、すべての反射面では利用できない。
【０００５】
従って、上記の問題を解決するような光出力システムを提供することが必要である。
【課題を解決するための手段】
【０００６】
本発明の目的は、光学式マウス用自動光出力制御付き光出力システムを提供することである。光出力システムは、発光デバイスとドライバーと自動電力制御器とを備える。前記発光デバイスは、放射光の生成に用いられる。前記ドライバーは、前記発光デバイスの駆動に用いられる。前記自動電力制御器は、所定範囲内において前記発光デバイスの電力を制御するために、複数の入力信号のうちの少なくとも１つに基づいた前記ドライバーへの制御信号の出力に用いられる。
【発明の効果】
【０００７】
本発明の光出力システムによれば、フィードバック制御によって、様々な伝導や周辺の下での（under various conduction and circumference）所定範囲内の所定値による放射光の安定電力の出力が可能である。さらに、前記光出力システムを用いた光学マウスは様々な反射面上での動作が可能である。
【発明を実施するための最良の形態】
【０００８】
（第１の実施形態）
図１は、本発明の第１の実施形態の光学式マウス用自動光出力制御付き光出力システムを示す。光出力システム１０は、発光デバイス１１とドライバー１２１と自動電力制御器１２２とを備える。前記発光デバイス１１は放射光の生成に用いられる。前記発光デバイス１１はレーザー光線を出力する半導体レーザーかもしれない。安全性の要求のために（For safety demand）、レーザー光線の出力電力を所定の最大値以下（例えば、１ｍＷ以下）に制御しなくてはならない。さらに、安定した分解能のために（for stable resolution）、レーザー光線の出力電力を所定値に制御しなくてはならない。
【０００９】
前記ドライバー１２１は、前記発光デバイス１１の駆動に用いられる。本発明の第１の実施形態において、前記ドライバー１２１は制御可能な動作電流ＩLDを前記発光デバイス１１に供給する。レーザー光線の出力電力は動作電流ＩLDに比例する。従って、動作電流ＩLDの調節によって、レーザー光線の出力電力を制御することが可能である。
【００１０】
前記自動電力制御器１２２は、所定範囲内において前記発光デバイス１１の電力を制御するために、複数の入力信号のうち少なくとも１つ（例えばＩPD）に基づいた前記ドライバー１２１への制御信号ＩCtrlの出力に用いられる。前記制御信号ＩCtrlは前記ドライバー１２１の動作電流ＩLDを変更することが可能である。前記複数の入力信号は、前記発光デバイス１１の電力に影響を及ぼす原因や状態を検知する様々なセンサーから与えられるかもしれない。前記入力信号に基づいてレーザー光線の出力電力を制御するために、前記自動電力制御器１２２は前記発光デバイス１１の駆動に対応する動作電流を出力する前記ドライバー１２１を制御する。
【００１１】
第１の実施形態において、前記光出力システム１０は前記発光デバイス１１の放射光を受光する第１の光検知器１３をさらに備える。前記第１の光検知器１３は前記発光デバイス１１の周辺、又は放射光の軌道上に配置することが可能である。従って、前記第１の光検知器１３は放射光の電力を直接的に検知でき、第１の対応光入力信号（first corresponding photo input signal）ＩPDを前記自動電力制御器１２２に出力する。前記第１の対応光入力信号（first corresponding photo input signal）ＩPDに基づいて、前記自動電力制御器１２２は放射光の出力電力を制御する前記ドライバー１２１に前記制御信号ＩCtrlを送る。
【００１２】
すなわち、前記第１の光検知器１３によって検出された放射光の実質出力電力が出力電力の所定値よりも大きいときには、出力電力を下げるために前記動作電流ＩLDを減少しなければならない。一方、前記第１の光検知器１３によって検出された放射光の実質出力電力が出力電力の所定値よりも小さいときには、出力電力が所定値と等しくなるように前記動作電流ＩLDを次第に増加して調節しなければならない。従って、放射光の出力電力が所定範囲内の所定値になるように制御することが可能となる。
【００１３】
前記自動電力制御器１２２及び前記ドライバー１２１の温度ドリフトは出力電力の制御に影響するかもしれない。また、前記第１の光検知器１３の温度ドリフトはきわめて小さく無視することができると仮定する。そこで、前記光出力システム１０は、温度補償信号を前記自動電力制御器１２２と前記ドライバー１２１とに供給する温度補償型電圧調整器１２３をさらに備える。
【００１４】
さらに、第１の抵抗１２４が前記温度補償型電圧調整器１２３と前記自動電力制御器１２２との間に配置され、第２の抵抗１２５が前記温度補償型電圧調整器１２３と前記ドライバー１２１との間に配置される。従って、温度修正ができるように、前記温度補償型電圧調整器１２３は、前記自動電力制御器１２２に第１の温度補償電流ＩAPCを供給可能であると共に、前記ドライバー１２１に第２の温度補償電流ＩDriverを供給可能である。前記発光デバイス１１の温度修正は前記自動電力制御器１２２の制御によって可能である。
【００１５】
ドライバー１２１、自動電力制御器１２２、温度補償型電圧調整器１２３、第１の抵抗１２４及び第２の抵抗１２５によって、発光デバイス１１を駆動する光駆動システム１２を構成することができる。前記光駆動システム１２は、第１の対応光入力信号（first corresponding photo input signal）ＩPDを受けて、放射光の出力電力を制御することができる。
【００１６】
（第２の実施形態）
図２は、本発明の第２の実施形態の光学式マウス用自動光出力制御付き光出力システムを示す。光出力システム２０は、発光デバイス２１と第２の光検知器２２と演算相互コンダクタンス増幅器２３と光駆動システム２４とを備える。前記発光デバイス２１及び前記光駆動システム２４は第１の実施形態と同様であるので、その説明は省略する。
【００１７】
前記第２の光検知器２２は、反射面２５の反射光の受光及び、前記光駆動システム２４内の自動電力制御器への第２の対応光入力信号（second corresponding photo input signal）の出力に用いられる。前記反射面２５は、前記発光デバイス２１の放射光の受光及び、反射光の反射に用いられる。前記反射面２５はテーブルの表面又はマウスパッドの表面かもしれない。また、前記反射面２５の反射特性はテーブルやマウスパッドの材料に依存する。前記反射面２５の反射特性に応じて、どのような反射面上でも光学式マウスが動作可能とするように、放射光の出力電力を調節しなければならない。従って、第２の実施形態では、前記光駆動システム２４は、第２の光検知器２２からの第２の対応光入力信号（second corresponding photo input signal）に基づいて放射光の出力電力を制御するために、発光デバイス２１に対応した動作電流の出力が可能である。
【００１８】
前記演算相互コンダクタンス増幅器２３は、前記光検知器２２と前記光駆動システム２４の自動電力制御器との間に配置される。前記演算相互コンダクタンス増幅器２３は、第２の対応光入力信号（second corresponding photo input signal）が前記光駆動システム２４に入力される前に、前記第２の対応光入力信号（second corresponding photo input signal）を処理することに用いられる。
【００１９】
一般的に、光学式マウスには、光学式マウスの位置を決定する画像を得るためのＣＭＯＳイメージセンサーがなければならない。前記ＣＭＯＳイメージセンサーは第２の光検知器の機能を持つ場合がある。すなわち、ＣＭＯＳイメージセンサーは、反射面からの反射光を受光し、光駆動システム２４に第２の対応光入力信号（second corresponding photo input signal）を出力することが可能である。
【００２０】
本発明によれば、光出力システムは、フィードバック制御によって、様々な伝導や周辺の下での（under various conduction and circumference）所定範囲内の所定値による放射光の安定電力の出力が可能である。さらに、光出力システムを用いた光学マウスは様々な反射面上での動作が可能である。
【００２１】
本発明の実施形態を例証し記載したが、当業者によって様々な変更や改良が可能である。従って、本発明の実施形態は、例示のためであって本発明を制限するものではない。本発明は例証に制限されないことを意図とし、本発明の精神と範囲を保持した変更は、添付の請求項の定義の範囲内である。
【図面の簡単な説明】
【００２２】
【図１】本発明の第１の実施形態の光学式マウス用自動光出力制御付き光出力システムを示す図である。
【図２】本発明の第２の実施形態の光学式マウス用自動光出力制御付き光出力システムを示す図である。
【図３】従来の光学式マウス用光出力システムを示す図である。
【符号の説明】
【００２３】
１０、２０        光出力システム
１１、２１        発光デバイス
１２、２４        光駆動システム
１３              第１の光検知器
１２１            ドライバー
１２２            自動電力制御器
１２３            温度補償型電圧調整器
１２４            第１の抵抗
１２５            第２の抵抗
２２              第２の光検知器
２３              演算相互コンダクタンス増幅器
２５              反射面
【図１】
2007080981.tif 000003
【図２】
2007080981.tif 000004
【図３】
2007080981.tif 000005
【外国語明細書】
2007080981000001.pdf